(57)【特許請求の範囲】
【請求項１】
可撓性を備える線状部と、前記線状部の一端側に設けられる差込部と、前記線状部の他端側に設けられて前記差込部と係合可能な受け部と、を有する連結具であって、
切断可能な切断部を挟んで第１部位および第２部位を備える切断操作部を有し、
前記差込部を前記受け部に係合した状態において、前記第１部位および前記第２部位の各々が前記線状部に接続され、
前記切断部は、前記第１部位の少なくとも一部を囲んで前記第２部位側へ凸状となることを特徴とする連結具。
【請求項２】
前記切断部は、円弧形状であることを特徴とする請求項１に記載の連結具。
【請求項３】
前記切断部は、溝を有することを特徴とする請求項１または２に記載の連結具。
【請求項４】
前記切断部は、孔部を有することを特徴とする請求項１〜３のいずれか１項に記載の連結具。
【請求項５】
前記第１部位に接続される前記線状部の中心軸と直交する方向の前記第１部位の前記最大幅は、前記差込部に接続される前記線状部の中心軸に対して直交する方向の前記差込部の最大幅以下であることを特徴とする請求項１〜４のいずれか１項に記載の連結具。
【請求項６】
前記切断操作部は、扁平形状であることを特徴とする請求項１〜５のいずれか１項に記載の連結具。
【請求項７】
前記線状部は、前記第１部位から延在する第１線状部と、前記第２部位から延在する第２線状部と、を有し、
前記差込部は、前記第１線状部の前記第１部位から離れている端部に形成され、
前記受け部は、前記第２線状部の前記第２部位から離れている端部に形成されることを特徴とする請求項１〜６のいずれか１項に記載の連結具。
【請求項８】
前記受け部は、前記第２部位に形成されることを特徴とする請求項１〜６のいずれか１項に記載の連結具。
【発明の詳細な説明】
【技術分野】
【０００１】
本発明は、例えば表示札を対象物に取り付けるための線状の連結具に関する。
【背景技術】
【０００２】
従来より、衣料品等の対象物に値段や品質等を表示する表示札を取り付けるために、樹脂製の連結具が使用されている。連結具は、柔軟な線材の一端側に設けられる受け部に、他端側に設けられる差込部を差し込んで係合することで、環状となることができる。このため、対象物の孔等に連結具を通し、さらに表示札の取付孔に連結具を通した後、受け部に差込部を差し込んで係合することで、対象物に表示札を容易に取り付けることができる。
【０００３】
対象物に取り付けられた表示札等が入れ替えられないように、係合オス部が係合メス部に係合されると、外れない構造となっている。したがって、環状となった連結具を対象物から取り外す際には、鋏やカッター等の切断器具で切断する必要がある。
【０００４】
連結具を対象物から取り外すために切断器具が必要不可欠であると、面倒であるという問題がある。また、切断器具を使用すると、対象物を傷つける可能性がある。このため、特許文献１には、捩じり、折り曲げ又は引き裂きにより、手操作で容易に破断できる切断部を設けた連結具が記載されている。
【先行技術文献】
【特許文献】
【０００５】
【特許文献１】特開２０００−２２９６５９号公報
【発明の概要】
【発明が解決しようとする課題】
【０００６】
特許文献１に記載の連結具の切断部は、通常的に作用する張力によっては切断されない程度の引張強度を有するとされている。しかしながら、切断部に通常時よりも強い張力が作用すれば、切断部が意図せずに切断される可能性がある。
【０００７】
本発明は、上述した課題を解決するためになされたものであり、意図せずに切断されることを効果的に抑制しつつ、必要に応じて手でも容易に切断できる連結具を提供することを目的とする。
【課題を解決するための手段】
【０００８】
上記目的を達成する本発明に係る連結具は、可撓性を備える線状部と、前記線状部の一端側に設けられる差込部と、前記線状部の他端側に設けられて前記差込部と係合可能な受け部と、を有する連結具であって、切断可能な切断部を挟んで第１部位および第２部位を備える切断操作部を有し、前記差込部を前記受け部に係合した状態において、前記第１部位および前記第２部位の各々が前記線状部に接続され、前記切断部は、前記第１部位の少なくとも一部を囲んで前記第２部位側へ凸状となることを特徴とする。
【発明の効果】
【０００９】
上記のように構成した連結具は、切断部が第１部位の少なくとも一部を囲んでいるため、切断部に作用する引張力に強く対抗できる。このため、切断部において意図せずに切断されることを効果的に抑制しつつ、必要に応じて切断操作部の切断部を手で容易に切断できる。
【００１０】
前記切断部は、円弧形状であってもよい。これにより、切断部が指または爪の形状に適合し、指や爪を用いて切断することが容易となる。
【００１１】
前記切断部は、溝を有してもよい。これにより、切断操作部の切断部は、溝に沿って切断しやすくなる。このため、切断操作部の切断部を手でも容易に切断できる。
【００１２】
前記切断部は、孔部を有してもよい。これにより、切断操作部の切断部は、孔部によって切断しやすくなる。このため、切断操作部の切断部を手でも容易に切断できる。
【００１３】
前記第１部位に接続される前記線状部の中心軸と直交する方向の前記第１部位の最大幅は、前記差込部に接続される前記線状部の中心軸に対して直交する方向の前記差込部の最大幅以下であってもよい。これにより、差込部を通すことができた表示札等の取付孔から、切断された後の第１部位を容易に引き抜くことができる。
【００１４】
前記切断操作部は、扁平形状であってもよい。これにより、第１部位および第２部位をつまみやすくなり、切断する操作が容易となる。
【００１５】
前記線状部は、前記第１部位から延在する第１線状部と、前記第２部位から延在する第２線状部と、を有し、前記差込部は、前記第１線状部の前記第１部位から離れている端部に形成され、前記受け部は、前記第２線状部の前記第２部位から離れている端部に形成されてもよい。これにより、第１線状部または第２線状部を通された表示札が切断操作部の近傍にある場合に、表示札に阻害されることなしに、表示札から離れている差込部および受け部を容易に係合できる。
【００１６】
前記受け部は、第２部位に形成されてもよい。これにより、切断操作部と異なる位置に受け部が設けられないため、構成をシンプルとすることができる。このため、差込部を受け部に係合した環状の状態において、第１部位および第２部位に連なる線状部を、直線的な部位のみで構成可能である。したがって、対象物へ取り付けた後に、連結具が対象物に対して必要以上に引っ掛からず、表示札等を適切に配置できる。
【図面の簡単な説明】
【００１７】
【図１】実施形態に係る連結具を示す正面図である。
【図２】連結具の一部を拡大して示す図であり、（Ａ）は正面図、（Ｂ）は図２（Ａ）のＡ−Ａ線に沿う断面図である。
【図３】連結具の使用方法を説明するための図であり、（Ａ）は表示札が取り付けられて環状となった状態、（Ｂ）は切断部を切断した状態を示す。
【図４】連結具の第１変形例を示す図であり、（Ａ）は正面図、（Ｂ）は図４（Ａ）のＢ−Ｂ線に沿う断面図である。
【図５】連結具の変形例を示す正面図であり、（Ａ）は第２変形例、（Ｂ）は第３変形例、（Ｃ）は第４変形例、（Ｄ）は第５変形例を示す。
【発明を実施するための形態】
【００１８】
以下、図面を参照して、本発明の実施の形態を説明する。なお、図面の寸法は、説明の都合上、誇張されて実際の寸法とは異なる場合がある。また、本明細書及び図面において、実質的に同一の機能構成を有する構成要素については、同一の符号を付することにより重複説明を省略する。
【００１９】
本発明の実施形態に係る連結具１０は、図３に示すように、衣料品、商品等の対象物に値段や品質等を表示する表示札６０を取り付けるために使用される部材である。連結具１０は、ポリプロピレン、ナイロン、ポリアミド等の樹脂により一体的に形成され、可撓性を備えている。なお、樹脂にはエラストマーやゴムも含まれるものとする。連結具１０は、一体的に形成されない場合もあり得る。連結具１０は、図１に示すように、長尺な線状部２０と、線状部２０の端部に連結された差込部３０と、線状部２０の他の端部に連結されて差込部３０と係合可能な受け部４０とを備えている。また、連結具１０は、切断可能な切断部５１が形成される切断操作部５０を備えている。なお、連結具１０は、一体的に形成されなくてもよい。例えば、線状部２０、差込部３０、受け部４０および切断操作部５０が、異なる部材により形成されてもよい。
【００２０】
線状部２０は、第１線状部２１と第２線状部２２とを備えている。第１線状部２１および第２線状部２２は、切断操作部５０に連結されている。線状部２０は、細い線材により形成されている。線状部２０は、略一定の線径を有しても、部位によって異なる線径を有してもよい。例えば、線状部２０の差込部３０に連結される部位や、切断操作部５０に連結される部位は、太く形成されてもよい。
【００２１】
差込部３０は、第１線状部２１の、切断操作部５０から離れた側の端部に配置される。差込部３０は、先端側に位置する頭部３１と、頭部３１の基端側に位置する係合フック３２と、係合フック３２の基端側に位置すると係止部３３を備えている。なお、差込部３０の先端側は、差込部３０を受け部４０に対して差し込む方向側であり、差込部３０の基端側は、先端側の反対側である。差込部３０の基端側の係止部３３は、第１線状部２１に連結されている。頭部３１は、受け部４０に入り込むことが可能な大きさで形成される。係止部３３は、受け部４０の後述する係合突起４２を通過できない大きさで形成されている。係合フック３２は、線状部２０の中心軸に対して傾斜しつつ、基端側へ突出している。このため、係合フック３２は、受け部４０へ挿入される際に、線状部２０の中心軸に向かって弾性的に撓むことができる。係合フック３２の数は、例えば２つであるが、１つ以上であれば特に限定されない。差込部３０の形状は、特に限定されず、例えば中心軸と直交する断面が略円形、略三角形、略四角形等であってもよい。また、差込部３０の形状は、全体的に扁平で薄い形状であってもよい。差込部３０が扁平で薄い形状であれば、受け部４０を薄く形成することが可能である。
【００２２】
受け部４０は、差込部３０が差し込まれる受け穴４１が形成されて、差込部３０と係合する部位である。受け部４０は、第２線状部２２の、切断操作部５０から離れた側の端部に配置される。受け部４０は、貫通孔を有する筒状の部材に形成される。なお、差込部３０および受け部４０は、係合可能であれば、構成は限定されない。
【００２３】
受け穴４１は、受け穴４１の内周面で突出する係合突起４２と、係合突起４２よりも差込方向側に位置する収容部４３とを備えている。係合突起４２は、頭部３１が通過可能であり、かつ弾性的に撓んだ係合フック３２が通過可能な大きさで突出している。収容部４３は、係合突起４２を通過した頭部３１および係合フック３２を収容可能な大きさで形成されている。第２線状部２２は、受け部４０の外周面に連結されている。受け穴４１の貫通方向、すなわち差込部３０が差し込まれる方向は、差込部３０に連結された第２線状部２２と略垂直である。
【００２４】
第１線状部２１は、第２線状部２２よりも長い。このため、図３に示すように、差込部３０を受け部４０に係合させて、切断操作部５０が重力によって下方に下がった状態において、商品等に引っ掛かる上方の部位が、差込部３０および受け部４０からずれた第１線状部２１となる。このため、第１線状部２１よりも大きな差込部３０および受け部４０が、対象物に形成される孔等に引っ掛かり難くなる。このため、連結具１０は、対象物に対して適切な位置を維持しやすい。なお、第１線状部２１は、第２線状部２２よりも短くてもよい。この場合、切断操作部５０が重力によって下方に下がった状態において、商品等に引っ掛かる上方の部位が、差込部３０および受け部４０からずれた第２線状部２２となる。なお、第１線状部２１および第２線状部２２は、略同じ長さであってもよい。
【００２５】
切断操作部５０は、操作者が指でつまんで切断できる部位である。切断操作部５０は、切断可能な切断部５１と、切断部５１を挟んで位置する第１部位５２および第２部位５３とを備えている。第１部位５２は、第１線状部２１に連結され、第２部位５３は、第２線状部２２に連結されている。第１部位５２は、第２部位５３よりも小さく形成される。第１部位５２の少なくとも一部は、第２部位５３に囲まれていることが好ましい。切断操作部５０は、切断部５１で切断しやすいように、略一定の厚さを有する扁平形状であることが好ましい。本実施形態において、第１部位５２は略半円柱形状であるが、第１部位５２の形状は特に限定されない。例えば、第１部位５２は略四角柱形状であり、３面が略コ字形状の切断部５１に連結されてもよい。第１部位５２は、扁平な切断操作部５０の縁部の一部を構成するように配置される。なお、切断操作部５０は、切断できるのであれば、扁平形状でなくてもよい。第１部位５２および／または第２部位５３の表面には、印字したり、着色したり、シール等を付着させたりすることができる。
【００２６】
切断部５１は、第１部位５２および第２部位５３の間で延在する円弧形状の溝５９で形成されている。切断部５１は、第１部位５２を部分的に囲むように、第２部位５３側へ凸状となる円弧形状で形成されている。切断部５１は、溝５９が形成されることで、第１部位５２および第２部位５３よりも薄く形成される。溝５９の延在方向の両端は、扁平な切断操作部５０の縁部に配置される。溝５９は、切断操作部５０の対向する両面のうちの一方面のみに形成されても、両面に形成されてもよい。溝５９は、切断操作部５０の両面に形成されれば、切断が容易となる。溝５９は、切断操作部５０の一方面のみに形成されれば、意図せずに切断されることをより確実に抑制できる。なお、切断部５１の構成は、指で切断可能であれば、特に限定されない。例えば、切断部５１は、図４に示す第１変形例のように、複数の孔部５４が並んで形成されてもよい。第１部位５２と第２部位５３の間には、複数の孔部５４と交互に配置される複数の連結部５５が形成される。複数の連結部５５は、第１部位５２と第２部位５３を接続している。連結部５５は、第１部位５２および第２部位５３と同じ厚さで形成されてもよいが、第１部位５２および第２部位５３よりも薄く形成されてもよい。すなわち、切断部５１は、切断操作部５０の一方面または両面に形成される溝５９と、複数の孔部５４の両方を有してもよく、または一方のみを有してもよい。切断部５１は、溝５９と孔部５４の両方を有している場合、切断が容易となる。切断部５１は、溝５９または孔部５４の一方のみを有すれば、意図せずに切断されることをより確実に抑制できる。孔部５４の形状は、特に限定されず、例えば丸孔、四角孔、または孔部５４が並ぶ方向へ長いスリット状の孔であってもよい。また、孔部５４は、貫通孔であることが好ましいが、貫通孔でなくてもよい。また、貫通しない孔は、切断操作部５０の一方面のみに形成されても、両面に形成されてもよい。また、切断部５１は、第１部位５２および第２部位５３とは異なる材料により形成されてもよい。この場合、切断部５１の材料は、第１部位５２および第２部位５３よりも破断しやすい材料であることが好ましい。なお、
【００２７】
切断部５１の延在方向の両端には、誘導凹部５８が形成されている。誘導凹部５８は、第１部位５２および第２部位５３の間の切断部５１に向かって窪む切り欠きである。誘導凹部５８は、操作者が切断部５１を切断する際に応力が集中して、切断部５１に亀裂を生じさせやすくする。このため、誘導凹部５８は、切断部５１を切断しやすくすることができる。
【００２８】
第１部位５２に接続される線状部２０の中心軸と直交する方向の第１部位５２の最大幅Ｄ１は、差込部３０に接続される線状部２０の中心軸に対して直交する方向の差込部３０の最大幅Ｄ２以下であることが好ましいが、これに限定されない。差込部３０の最大幅Ｄ２は、特に限定されないが、通常、１．８〜４．２ｍｍ程度である。したがって、第１部位５２の最大幅Ｄ１は、特に限定されないが、好ましくは４．２ｍｍ以下であり、より好ましくは４．０ｍｍ以下、さらに好ましくは３．８ｍｍ以下、さらに好ましくは３．６ｍｍ以下、さらに好ましくは３．４ｍｍ以下、さらに好ましくは３．２ｍｍ以下である。第１部位５２の最大幅Ｄ１は、特に限定されないが、好ましくは１．２ｍｍ以上であり、さらに好ましくは１．４ｍｍ以上、さらに好ましくは１．６ｍｍ以上である。
【００２９】
次に、実施形態に連結具１０の作用を説明する。
【００３０】
始めに、表示札６０を取り付ける取付者が、表示札６０の取付孔６１に差込部３０または受け部４０を挿入する。表示札６０の取付孔６１に差込部３０を差し込む場合、表示札６０は、差込部３０と第１部位５２の間の第１線状部２１に保持される。表示札６０の取付孔６１に受け部４０を差し込む場合、表示札６０は、受け部４０と第２部位５３の間の第２線状部２２に保持される。以降は、表示札６０の取付孔６１に差込部３０を差し込んだ場合を説明する。
【００３１】
次に、差込部３０または受け部４０を、衣料品等の対象物に形成される孔等に挿入する。そして、取付者は、図３（Ａ）に示すように、差込部３０を受け部４０に差し込む。これにより、差込部３０の頭部３１が係合突起４２を通過して収容部４３へ到達する。さらに、差込部３０の係合フック３２が、係合突起４２に押されて変形しながら係合突起４２を通過して収容部４３へ到達する。収容部４３に到達した係合フック３２は、自己の弾性力によって元の形状に戻り、係合突起４２よりも大きく広がる。このため、係合フック３２が係合突起４２を通過して収容部４３へ到達すると、係合フック３２が係合突起４２に引っ掛かる。これにより、受け部４０に差し込まれた差込部３０は、受け部４０から引き抜き不能となる。このため、対象物に取り付けられた表示札６０等が入れ替えられることが抑制される。切断操作部５０は、重力によって下方へ下がる。このため、切断操作部５０から、線状部２０の両端部が略平行に上方へ延びる。したがって、表示札６０は、重力により下がって、切断操作部５０の近傍で略平行に並ぶ線状部２０の間に挟まれる。このため、表示札６０は、安定した位置で良好に保持される。
【００３２】
連結具１０において、切断部５１が第１部位５２の少なくとも一部を囲んでいる。このため、切断部５１は、平面状ではないため、第２部位５２が第１部位５３に囲まれて保持されるとともに、第１部位５２と第２部位５３を接続する面積が増加し、作用する引張力に強く対抗できる。さらに、切断部５１は、部位によって、引っ張り力が作用する方向に対する角度が異なる。このため、切断部５１のいずれかの部位が、引っ張り力に対抗しやすい角度で形成されるため、切断部５１は、作用する引張力に強く対抗できる。したがって、連結具１０は、切断部５１において意図せずに切断されることを抑制できる。
【００３３】
表示札６０および連結具１０を対象物から取り外す際には、操作者は、第１部位５２を一方の手の指でつまみ、第２部位５３を他方の手の指でつまむ。次に、操作者は、切断部５１に捩じり力や折り曲げる力等を作用させる。このとき、操作者は、切断部５１に捩じり力や折り曲げる力等を作用させつつ、第１部位５２および第２部位５３に、離れる方向の力を作用させてもよい。これにより、切断部５１に応力が集中して切断部５１に亀裂が生じ、亀裂が進展する。切断部５１が円弧形状であるため、第１部位５２が小さくて第２部位５２に囲まれていても、切断部５１が指または爪の形状に適合し、指や爪によって切断部５１に亀裂を生じさせやすい。
【００３４】
切断部５１が完全に切断されると、図３（Ｂ）に示すように、第１部位５２および第２部位５３が離れ、連結具１０の切断が完了する。第１部位５２の最大幅Ｄ１は、差込部３０の最大幅Ｄ２以下であるため、差込部３０を通すことができた表示札６０の取付孔６１から、切断された後の第１部位５２を容易に引き抜くことができる。なお、第１部位５２の最大幅Ｄ１は、差込部３０の最大幅Ｄ２よりも大きくてもよい。これにより、切断された連結具１０から、表示札６０が脱落しにくくなる。したがって、切断された連結具１０および表示札６０を、ばらけさせずにまとめて処理（例えば、処分）できる。
【００３５】
以上のように、本実施形態に係る連結具１０は、可撓性を備える線状部２０と、線状部２０の一端側に設けられる差込部３０と、線状部２０の他端側に設けられて差込部３０と係合可能な受け部４０と、を有する連結具１０であって、切断可能な切断部５１を挟んで第１部位５２および第２部位５３を備える切断操作部５０を有し、差込部３０を受け部４０に係合した状態において、第１部位５２および第２部位５３の各々が線状部２０に接続され、切断部５１は、第１部位５２の少なくとも一部を囲んでいる。
【００３６】
上記のように構成した連結具１０は、切断部５１が第１部位５２の少なくとも一部を囲んでいるため、切断部５１に作用する引張力に強く対抗できる。このため、切断部５１において意図せずに切断されることを効果的に抑制しつつ、必要に応じて切断操作部５０の切断部５１を手で容易に切断できる。
【００３７】
また、切断部５１は、円弧形状である。このため、切断部５１が指または爪の形状に適合し、指や爪を用いて切断することが容易となる。
【００３８】
また、切断部５１は、溝５９を有している。これにより、切断操作部５０の切断部５１は、溝５９に沿って切断しやすくなる。このため、切断操作部５０の切断部５１を手でも容易に切断できる。
【００３９】
また、切断部５１は、孔部５４を有してもよい。これにより、切断操作部５０の切断部５１は、孔部５４によって切断しやすくなる。このため、切断操作部５０の切断部５１を手でも容易に切断できる。
【００４０】
また、第１部位５２に接続される線状部２０の中心軸と直交する方向の第１部位５２の最大幅Ｄ１は、差込部３０に接続される線状部２０の中心軸に対して直交する方向の差込部３０の最大幅Ｄ２以下である。これにより、差込部３０を通すことができた表示札６０等の取付孔６１から、切断された後の第１部位５２を容易に引き抜くことができる。
【００４１】
また、切断操作部５０は、扁平形状である。これにより、第１部位５２および第２部位５３をつまみやすくなり、切断する操作が容易となる。
【００４２】
また、線状部２０は、第１部位５２から延在する第１線状部２１と、第２部位から延在する第２線状部２２と、を有し、差込部３０は、第１線状部２１の第１部位５２から離れている端部に形成され、受け部４０は、第２線状部２２の第２部位５３から離れている端部に形成されている。これにより、第１線状部２１または第２線状部２２を通された表示札６０が切断操作部５０の近傍にある場合に、表示札６０に阻害されることなしに、表示札６０から離れている差込部３０および受け部４０を容易に係合できる。
【００４３】
なお、本発明は、上述した実施形態のみに限定されるものではなく、本発明の技術的思想内において当業者により種々変更が可能である。例えば、図５（Ａ）に示す第２変形例のように、受け部４０は、第２部位５３に形成されてもよい。線状部２０の一端に第１部位５２が連結され、線状部２０の他端に第２部位５３が連結されている。受け部４０の差込方向は、切断操作部５０に連結される線状部２０と略直交する方向であり、受け部４０は貫通している。このため、受け部４０のいずれの開口からも、差込部３０を差し込んで、係合フック３２を係合突起４２に係合できる。受け部４０が第２部位５３に形成されることにより、切断操作部５０と異なる位置に受け部４０が設けられないため、構成をシンプルとすることができる。このため、差込部３０を受け部４０に係合した環状の状態において、第１部位５２および第２部位５３に連なる線状部２０を、直線的な部位のみで構成可能である。したがって、対象物へ取り付けた後の連結具１０は、対象物に対して必要以上に引っ掛からず、表示札６０を適切に配置できる。
【００４４】
また、図５（Ｂ）に示す第３変形例のように、切断操作部５０は、線状部２０に連結される部位に向かって凸状に形成され、第１部位５２は、凸状の部位の頂部に配置されてもよい。これにより、第１部位５２を第２部位５３から分けて指でつまみやすくなり、第１部位５２を第２部位５３から分離するように、切断部５１を手で容易に切断できる。受け部４０は、第２部位５３に形成されるが、第２部位５３に形成されなくてもよい。凸状の部位に第１部位５２を配置する構造は、他の実施形態（例えば、図１に示す実施形態）に適用されてもよい。
【００４５】
また、図５（Ｃ）に示す第４変形例のように、受け部４０は、切断操作部５０の線状部２０が連結される側の反対側の第２部位５３に配置されてもよい。受け部４０の中心軸は、第１部位５２に連結される線状部２０の中心軸と同一線上に位置するが、同一線上に位置しなくてもよい。例えば、受け部４０の中心軸は、第１部位５２に連結される線状部２０の中心軸に対して傾き、差込部３０を受け部４０に対して少し斜めから差し込み可能であってもよい。
【００４６】
また、図５（Ｄ）に示す第５変形例のように、受け部４０は、切断操作部５０の線状部２０が連結される側またはその反対側から差込部３０を受け入れ可能に配置されてもよい。受け部４０の中心軸は、第１部位５２に連結される線状部２０の中心軸から所定距離離れて平行に配置される。受け部４０の差込方向は、切断操作部５０に連結される線状部２０と略平行方向であり、受け部４０は貫通している。このため、受け部４０のいずれの開口からも、差込部３０を差し込んで、係合フック３２を係合突起４２に係合できる。
【符号の説明】
【００４７】
１０    連結具
２０    線状部
２１    第１線状部
２２    第２線状部
３０    差込部
３１    頭部
３２    係合フック
３３    係止部
４０    受け部
４１    受け穴
４２    係合突起
４３    収容部
５０    切断操作部
５１    切断部
５２    第１部位
５３    第２部位
５４    孔部
５５    連結部
５８    誘導凹部
５９    溝
６０    表示札
Ｄ１    第１の部位の最大幅
Ｄ２    差込部の最大幅
【要約】
【課題】意図せずに切断されることを効果的に抑制しつつ、必要に応じて手でも容易に切断できる連結具を提供する。
【解決手段】可撓性を備える線状部２０と、線状部２０の一端側に設けられる差込部３０と、線状部２０の他端側に設けられて差込部３０と係合可能な受け部４０と、を有する連結具１０であって、切断可能な切断部５１を挟んで第１部位５２および第２部位５３を備える切断操作部５０を有し、差込部３０を受け部４０に係合した状態において、第１部位５２および第２部位５３の各々が線状部２０に接続され、切断部５１は、第１部位５２の少なくとも一部を囲んでいる。
【選択図】図３【図１】
0006884320.tif 000002
【図２】
0006884320.tif 000003
【図３】
0006884320.tif 000004
【図４】
0006884320.tif 000005
【図５】
0006884320.tif 000006